【手続補正書】
【提出日】平成20年8月7日(2008.8.7)
【手続補正１】
【補正対象書類名】明細書
【補正対象項目名】全文
【補正方法】変更
【補正の内容】
【書類名】  明細書
【発明の名称】  携帯健康管理機器,携帯通信機器,携帯健康管理通信システム,健康管理機能内蔵型携帯通信機器,健康管理システム,健康管理サービス付生命保険システムおよびその保険料割引方法
【特許請求の範囲】
【請求項１】  機器本体を携帯する者の体温,血圧,心電および心拍のうちの少なくとも１つを含む身体に関するデータ、または、上記身体の動作に関するデータを入力するデータ入力手段と、
上記データ入力手段により入力されたデータを通信機器を介して健康管理支援者側または健康管理支援装置側に転送する転送手段と、
上記健康管理支援者側または上記健康管理支援装置側から上記入力されたデータに基づく健康診断結果のメッセージ情報を上記通信機器を介して受け取るメッセージ情報受取手段と、
上記データ入力手段により入力されたデータおよび上記メッセージ情報受取手段により上記健康管理支援者側または上記健康管理支援装置側から受け取った上記健康診断結果のメッセージ情報を記憶する記憶手段と、
上記記憶手段に記憶された上記健康診断結果のメッセージ情報を表示する表示手段とを備えたことを特徴とする携帯健康管理機器。
【請求項２】  請求項１に記載の携帯健康管理機器が接続される携帯通信機器であって、
上記入力されたデータを健康管理支援者側または健康管理支援装置側に送信する送信手段と、
上記入力されたデータを分析して得られた健康診断結果のメッセージ情報を受信する受信手段とを備えたことを特徴とする携帯通信機器。
【請求項３】  身体に装着する請求項１に記載の携帯健康管理機器と、その携帯健康管理機器に有線または無線により接続された請求項２に記載の携帯通信機器とを備えたことを特徴とする携帯健康管理通信システム。
【請求項４】  機器本体を携帯する者の体温,血圧,心電および心拍のうちの少なくとも１つを含む身体に関するデータ、または、上記身体の動作に関するデータを入力するデータ入力手段と、
上記データ入力手段により入力されたデータを健康管理支援者側または健康管理支援装置側に送信する送信手段と、
上記健康管理支援者側または上記健康管理支援装置側から上記入力されたデータに基づく健康診断結果のメッセージ情報を受信する受信手段と、
上記データ入力手段により入力されたデータおよび上記受信手段により上記健康管理支援者側または上記健康管理支援装置側から受信した健康診断結果のメッセージ情報を記憶する記憶手段と、
上記記憶手段に記憶された上記健康診断結果のメッセージ情報を表示する表示手段とを備えたことを特徴とする健康管理機能内蔵型携帯通信機器。
【請求項５】  請求項３に記載の携帯健康管理通信システムまたは請求項４に記載の健康管理機能内蔵型携帯通信機器を携帯する使用者の健康管理を行う健康管理システムであって、
上記携帯健康管理通信システムまたは上記健康管理機能内蔵型携帯通信機器から送られた上記使用者の入力されたデータに対して統計的な分析を行う分析手段と、
上記分析手段による分析結果に医師または健康管理の専門家の所感を加えた健康診断結果のメッセージ情報を上記携帯健康管理通信システムまたは上記健康管理機能内蔵型携帯通信機器に返送する返送手段とを備えたことを特徴とする健康管理システム。
【請求項６】  コンピュータにより生命保険業務を行う健康管理サービス付生命保険システムにおいて、
請求項５に記載の健康管理システムによる健康管理サービスを生命保険の保険契約者に対して提供することを特徴とする健康管理サービス付生命保険システム。
【請求項７】  請求項６に記載の健康管理サービス付生命保険システムにおいて保険料を割り引きする健康管理サービス付生命保険システムの保険料割引方法であって、
上記携帯健康管理通信システムまたは上記健康管理機能内蔵型携帯通信機器を用いた保険契約者の健康診断の実施度が高いほど保険料の割引率が高くなるように、コンピュータにより上記割引率を決定することを特徴とする健康管理サービス付生命保険システムの保険料割引方法。
【請求項８】  請求項１に記載の携帯健康管理機器において、
上記データ入力手段は、上記機器本体を携帯する者の運動量を測定する運動量測定手段を備え、
上記運動量測定手段により測定された運動量に関する情報を上記身体の動作に関するデータとして上記転送手段により上記通信機器を介して上記健康管理支援者側または上記健康管理支援装置側に転送することを特徴とする携帯健康管理機器。
【請求項９】  請求項４に記載の健康管理機能内蔵型携帯通信機器において、
上記データ入力手段は、上記機器本体を携帯する者の運動量を測定する運動量測定手段を備え、
上記運動量測定手段により測定された運動量に関する情報を上記身体の動作に関するデータとして上記送信手段により上記健康管理支援者側または上記健康管理支援装置側に送信することを特徴とする健康管理機能内蔵型携帯通信機器。
【請求項１０】  請求項１に記載の携帯健康管理機器において、
上記機器本体を携帯する者のダイエットに関するカロリー情報を入力するダイエット情報入力手段を備え、
上記ダイエット情報入力手段により入力されたダイエットに関するカロリー情報を上記転送手段により上記通信機器を介して上記健康管理支援者側または上記健康管理支援装置側に転送することを特徴とする携帯健康管理機器。
【請求項１１】  請求項４に記載の健康管理機能内蔵型携帯通信機器において、
上記機器本体を携帯する者のダイエットに関するカロリー情報を入力するダイエット情報入力手段を備え、
上記ダイエット情報入力手段により入力されたダイエットに関するカロリー情報を上記送信手段により上記健康管理支援者側または上記健康管理支援装置側に送信することを特徴とする健康管理機能内蔵型携帯通信機器。
【発明の詳細な説明】
【０００１】
【発明の属する技術分野】
この発明は、携帯健康管理機器, 携帯通信機器, 携帯健康管理通信システム, 健康管理機能内蔵型携帯通信機器,健康管理システム,健康管理サービス付生命保険システムおよびその保険料割引方法に関する。
【０００２】
【従来の技術】
従来、体温,心電,心拍および血圧等を身体測定機器で測定し、電話回線を利用してその測定データを健康管理会社に送り、健康管理会社によって健康管理するサービスが運用されている。ところが、上記身体測定機器と電話回線を利用する健康管理サービスでは、測定方法やデータの送信方法が煩雑であるという問題がある。
【０００３】
そこで、そのような健康管理サービスの改良版として、特開平９−１７３３０４号公報に開示された生体リスク管理方法を用いるものがある。この生体リスク管理方法は、生体リスク管理用アダプターおよびそのアダプター使用による携帯電話を媒体とすることにより、簡便に健康管理サービスを受けることを可能にしている。
【０００４】
また、他の健康管理サービスとして、特開平１０−２９５６５１号公報に開示された健康管理のためのシステムおよび携帯機器を用いるものがある。この健康管理のためのシステムおよび携帯機器は、使い勝手を良くするため、身につけて活用できる携帯型の機器にした上、常時身に付ける前提を活かして、運動量の測定データや摂取カロリーの入力等の健康管理の項目を広げる提案である。
【０００５】
また、他の健康管理サービスとして、特開２０００−７６３５４号公報に開示された情報システムを用いるものがある。この情報システムは、健康情報も含む個人の情報を蓄積し、携帯型機器を利用して今後の生活に役立てようとするものである。
【０００６】
【発明が解決しようとする課題】
ところが、特開平９−１７３３０４号公報に開示された生体リスク管理方法は、装置の携帯を配慮していないため、使用者および使用場所が大きく限定されるという問題がある。また、特開平１０−２９５６５１号公報に開示されている健康管理のためのシステムおよび携帯機器は、携帯型にする改良を加えているが、センターコンピュータとのデータの交信は、固定装置に装着してハンド処理が必要であり、使い勝手が悪いという問題がある。さらに、特開２０００−７６３５４号公報に開示されている情報システムは、身体測定機器の持ち出しを考慮しておらず、常時健康管理に役立てることができないという問題がある。
【０００７】
そこで、この発明の目的は、身体に関わるデータをいつでも入力でき、その身体に関わるデータに基づく健康診断結果を常時健康管理に役立てることができると共に、誰にでも容易に使用できる使い勝手のよい携帯健康管理機器および携帯通信機器および携帯健康管理通信システムおよび健康管理機能内蔵型携帯通信機器および健康管理システムを提供することにある。
【０００８】
また、この発明のもう1つの目的は、保険契約者の健康管理に役立てることができ、保険金の支払額を抑えることができる健康管理サービス付生命保険システムおよびその保険料割引方法を提供することにある。
【０００９】
【課題を解決するための手段】
上記目的を達成するため、第１の発明の携帯健康管理機器は、
機器本体を携帯する者の体温,血圧,心電および心拍のうちの少なくとも１つを含む身体に関するデータ、または、上記身体の動作に関するデータを入力するデータ入力手段と、
上記データ入力手段により入力されたデータを通信機器を介して健康管理支援者側または健康管理支援装置側に転送する転送手段と、
上記健康管理支援者側または上記健康管理支援装置側から上記入力されたデータに基づく健康診断結果のメッセージ情報を上記通信機器を介して受け取るメッセージ情報受取手段と、
上記データ入力手段により入力されたデータおよび上記メッセージ情報受取手段により上記健康管理支援者側または上記健康管理支援装置側から受け取った上記健康診断結果のメッセージ情報を記憶する記憶手段と、
上記記憶手段に記憶された上記健康診断結果のメッセージ情報を表示する表示手段とを備えたことを特徴としている。
【００１０】
上記構成の携帯健康管理機器によれば、機器本体を携帯する者の体温,血圧,心電および心拍のうちの少なくとも１つを含む身体に関するデータ、または、身体の動作に関するデータを上記データ入力手段により入力する。そうして入力されたデータを上記転送手段により通信機器を介して健康管理支援者側に転送する。次に、上記健康管理支援者側から上記入力されたデータに基づく健康診断結果のメッセージ情報を上記通信機器を介して上記メッセージ情報受取手段により受け取り、上記入力されたデータおよび健康診断結果のメッセージ情報を上記記憶手段に記憶する。そして、上記記憶手段に記憶された健康診断結果のメッセージ情報を上記表示手段により表示する。
【００１１】
このように、常時携帯可能とすることで身体に関わるデータをいつでも入力できると共に、入力されたデータに基づく健康診断結果のメッセージ情報が医者や健康管理の専門家などの健康管理支援者から得られる。したがって、使い勝手が良く、使用することに負担を感じないので、老若男女誰にでも容易に使用できる。なお、健康管理支援者の代わりに、入力されたデータに基づく健康診断処理がプログラムされたコンピュータを用いた健康管理支援装置でもよい。
【００１２】
また、第２の発明の携帯通信機器は、上記第１の発明の携帯健康管理機器が接続される携帯通信機器であって、上記入力されたデータを健康管理支援者側または健康管理支援装置側に送信する送信手段と、上記入力されたデータを分析して得られた健康診断結果のメッセージ情報を受信する受信手段とを備えたことを特徴としている。
【００１３】
上記構成の携帯通信機器によれば、上記携帯健康管理機器に接続された携帯通信機器の上記送信手段により、上記携帯健康管理機器の転送手段により転送された入力されたデータを健康管理支援者側(または健康管理支援装置側)に送信して、健康管理支援者側(または健康管理支援装置側)で上記入力されたデータを分析して得られた健康診断結果のメッセージ情報を上記受信手段により受信する。そうして受信された健康診断結果のメッセージ情報を上記携帯健康管理機器のメッセージ情報受取手段により受け取る。この携帯通信機器により、上記携帯健康管理機器を携帯する者がどこにいても、健康管理支援者側(または健康管理支援装置側)と入力されたデータ, 健康診断結果のメッセージ情報のやり取りが可能となる。
【００１４】
また、第３の発明の携帯健康管理通信システムは、身体に装着する上記第１の発明の携帯健康管理機器と、その携帯健康管理機器に有線または無線により接続された上記第２の発明の携帯通信機器とを備えたことを特徴としている。
【００１５】
上記構成の携帯健康管理通信システムによれば、上記携帯健康管理機器と携帯通信機器を常時携帯することで身体に関わるデータをいつでも入力できると共に、入力されたデータに基づく健康診断結果のメッセージ情報が健康管理支援者側(または健康管理支援装置側)から得られるため、使い勝手が良く、使用することに負担を感じないので、老若男女誰にでも容易に使用できる。
【００１６】
また、第４の発明の健康管理機能内蔵型携帯通信機器は、
機器本体を携帯する者の体温,血圧,心電および心拍のうちの少なくとも１つを含む身体に関するデータ、または、身体の動作に関するデータを入力するデータ入力手段と、
上記データ入力手段により入力されたデータを健康管理支援者側または健康管理支援装置側に送信する送信手段と、
上記健康管理支援者側または上記健康管理支援装置側から上記入力されたデータに基づく健康診断結果のメッセージ情報を受信する受信手段と、
上記データ入力手段により入力されたデータおよび上記受信手段により上記健康管理支援者側または上記健康管理支援装置側から受信した健康診断結果のメッセージ情報を記憶する記憶手段と、
上記記憶手段に記憶された上記健康診断結果のメッセージ情報を表示する表示手段とを備えたことを特徴としている。
【００１７】
上記構成の健康管理機能内蔵型携帯通信機器によれば、機器本体を携帯する者の体温,血圧,心電および心拍のうちの少なくとも１つを含む身体に関するデータ、または、上記身体の動作に関するデータを上記データ入力手段により入力する。そうして入力されたデータを上記送信手段により健康管理支援者側に送信する。次に、上記健康管理支援者側から上記入力されたデータに基づく健康診断結果のメッセージ情報を上記受信手段により受信し、上記入力されたデータおよび健康診断結果のメッセージ情報を上記記憶手段に記憶する。そして、上記記憶手段に記憶された健康診断結果のメッセージ情報を上記表示手段により表示する。
【００１８】
このように、常時携帯可能とすることで身体に関わるデータをいつでも入力できると共に、入力されたデータに基づく健康診断結果が健康管理支援者側から得られる。したがって、使い勝手が良く、使用することに負担を感じないので、老若男女誰にでも容易に使用できる。なお、健康管理支援者の代わりに、入力されたデータに基づく健康診断処理がプログラムされたコンピュータを用いた健康管理支援装置でもよい。
【００１９】
また、第５の発明の健康管理システムは、上記第３の発明の携帯健康管理通信システムまたは上記第４の発明の健康管理機能内蔵型携帯通信機器を携帯する使用者の健康管理を行う健康管理システムであって、上記携帯健康管理通信システムまたは上記健康管理機能内蔵型携帯通信機器から送られた上記使用者の入力されたデータに対して統計的な分析を行う分析手段と、上記分析手段による分析結果に医師または健康管理の専門家の所感を加えた健康診断結果のメッセージ情報を上記携帯健康管理通信システムまたは上記健康管理機能内蔵型携帯通信機器に返送する返送手段とを備えたことを特徴としている。
【００２０】
上記健康管理システムによれば、上記携帯健康管理通信システムまたは健康管理機能内蔵型携帯通信機器から送られた入力されたデータに対して上記分析手段により統計的な分析を行う。例えば血圧について、過去に入力されたデータも用いて経時変化等が分かるようにする。そうして得られた分析結果に対して医師または健康管理の専門家が診断を行って、その健康診断結果のメッセージ情報を上記返送手段により返送する。したがって、常時携帯可能な携帯健康管理通信システムまたは健康管理機能内蔵型携帯通信機器を用いて身体に関わるデータをいつでも入力して、その入力されたデータに基づく健康診断結果のメッセージ情報を得ることができる。
【００２１】
また、第６の発明の健康管理サービス付生命保険システムは、コンピュータにより生命保険業務を行う健康管理サービス付生命保険システムにおいて、上記第５の発明の健康管理システムによる健康管理サービスを生命保険の保険契約者に対して提供することを特徴としている。
【００２２】
上記健康管理サービス付生命保険システムによれば、上記健康管理システムによる健康管理サービスを生命保険会社などが生命保険の付加価値として保険契約者に提供することによって、健康管理サービスに関する機器の購入費および使用料を保険の掛け金に含めることで、健康管理システムの使用者の金銭的な負担を少なくすることが可能である。また、生命保険会社にとっては保険契約者の健康管理に役立てることができ、結果として生命保険会社が支払う保険金の額を抑えることができる。
【００２３】
また、一実施形態の健康管理サービス付生命保険システムの保険料割引方法は、上記健康管理サービス付生命保険システムにおいて保険料を割り引きする健康管理サービス付生命保険システムの保険料割引方法であって、上記携帯健康管理通信システムまたは上記健康管理機能内蔵型携帯通信機器を用いた保険契約者の健康診断の実施度が高いほど保険料の割引率が高くなるように、コンピュータにより上記割引率を決定することを特徴としている。
【００２４】
上記健康管理サービス付生命保険システムの保険料割引方法によれば、上記携帯健康管理通信システムまたは上記健康管理機能内蔵型携帯通信機器を用いて保険契約者が健康診断を実施することで、その保険契約者の健康診断の実施度に応じて保険料の割引率を決定して保険料の割引を行うので、保険料の割引により保険契約者の増加を図ると共に、保険契約者の健康診断の実施を促進し、保険契約者の健康管理が強化されることにより生命保険会社の保険金支払い額をさらに低減することができる。
【００２５】
また、一実施形態の携帯健康管理機器は、上記第１の発明の携帯健康管理機器において、
上記データ入力手段は、上記機器本体を携帯する者の運動量を測定する運動量測定手段を備え、
上記運動量測定手段により測定された運動量に関する情報を上記身体の動作に関するデータとして上記転送手段により上記通信機器を介して上記健康管理支援者側または上記健康管理支援装置側に転送することを特徴としている。
【００２６】
上記実施形態の携帯健康管理機器によれば、上記運動量測定手段によって測定された上記機器本体を携帯する者の運動量に関する情報を上記身体の動作に関するデータとして上記転送手段により上記通信機器を介して上記健康管理支援者側(または健康管理支援装置側)に転送するので、上記運動量から消費カロリー等を計算して、健康診断(特に肥満対策などの健康管理)に有効に利用することができる。
【００２７】
また、一実施形態の健康管理機能内蔵型携帯通信機器は、上記第４の発明の健康管理機能内蔵型携帯通信機器において、
上記データ入力手段は、上記機器本体を携帯する者の運動量を測定する運動量測定手段を備え、
上記運動量測定手段により測定された運動量に関する情報を上記身体の動作に関するデータとして上記送信手段により上記健康管理支援者側または上記健康管理支援装置側に送信することを特徴としている。
【００２８】
上記実施形態の健康管理機能内蔵型携帯通信機器によれば、上記運動量測定手段によって測定された上記機器本体を携帯する者の運動量に関する情報を上記身体の動作に関するデータとして上記送信手段により上記健康管理支援者側(または健康管理支援装置側)に送信するので、上記運動量から消費カロリー等を計算して、健康診断(特に肥満対策などの健康管理)に有効に利用することができる。
【００２９】
また、一実施形態の携帯健康管理機器は、第１の発明の携帯健康管理機器において、上記機器本体を携帯する者のダイエットに関するカロリー情報を入力するダイエット情報入力手段を備え、上記ダイエット情報入力手段により入力されたダイエットに関するカロリー情報を上記転送手段により上記通信機器を介して上記健康管理支援者側または上記健康管理支援装置側に転送することを特徴としている。
【００３０】
上記実施形態の携帯健康管理機器によれば、上記ダイエット情報入力手段により入力されたダイエットに関するカロリー情報(摂取カロリー等)を上記転送手段により通信機器を介して上記健康管理支援者側(または健康管理支援装置側)に転送するので、上記ダイエットに関するカロリー情報を健康診断(特に肥満対策などの健康管理)に有効に利用することができる。
【００３１】
また、一実施形態の健康管理機能内蔵型携帯通信機器は、上記第４の発明の健康管理機能内蔵型携帯通信機器において、上記機器本体を携帯する者のダイエットに関するカロリー情報を入力するダイエット情報入力手段を備え、上記ダイエット情報入力手段により入力されたダイエットに関するカロリー情報を上記送信手段により上記健康管理支援者側または上記健康管理支援装置側に送信することを特徴としている。
【００３２】
上記実施形態の健康管理機能内蔵型携帯通信機器によれば、上記ダイエット情報入力手段により入力されたダイエットに関するカロリー情報(摂取カロリー等)を上記送信手段により上記健康管理支援者側(または健康管理支援装置側)に送信するので、上記ダイエットに関するカロリー情報を健康診断(特に肥満対策などの健康管理)に有効に利用することができる。
【００３３】
【発明の実施の形態】
以下、この発明の携帯健康管理機器,携帯通信機器, 携帯健康管理通信システム, 健康管理機能内蔵型携帯通信機器,健康管理システム,健康管理サービス付生命保険システムおよびその保険料割引方法を図示の実施の形態により詳細に説明する。
【００３４】
（第１実施形態）
図１はこの発明の第１実施形態の腕時計型の携帯健康管理機器および携帯通信機器の一例としての携帯無線通信機器を用いた携帯健康管理通信システムの構成を示すブロック図である。
【００３５】
図１に示す腕時計型の携帯健康管理機器は、ＣＰＵ(中央処理装置)１と、キー入力部２と、上記キー入力部２を制御する入力制御部３と、時間計測手段としての時間計測部４と、身体測定部５と、上記身体測定部５を制御する測定制御部６と、ＲＯＭ(リード・オンリー・メモリー)７と、表示部８と、上記表示部８を制御する表示制御部９と、記憶手段としてのＲＡＭ(ランダム・アクセス・メモリー)１０と、携帯無線通信機器としての携帯電話／ＰＨＳ１３を接続するのインターフェース部１１と、上記インターフェース部１１を制御するインターフェース制御部１２とを備えている。上記入力制御部３と時間計測部４と測定制御部６とＲＯＭ７と表示制御部９とＲＡＭ１０とインターフェース制御部１２とがＣＰＵ１に夫々接続されている。
【００３６】
上記身体測定部５と、上記身体測定部５と測定制御部６でデータ入力手段を構成し、表示部８と表示制御部９で表示手段を構成し、インターフェース部１１とインターフェース制御部１２で転送手段およびメッセージ情報受取手段を構成している。また、上記携帯電話／ＰＨＳ１３は、上記身体測定データを健康管理支援者側に送信する送信手段と、上記身体測定データを分析して得られた健康診断結果のメッセージ情報を受信する受信手段とを有している。
【００３７】
上記腕時計型の携帯健康管理機器において、ＣＰＵ１は、ＲＯＭ７に格納されているプログラムに基づいて機器全体を制御する。また、上記キー入力部２は、複数の入力キーからなり、所定のキーを押下すると、その押下されたキーの情報が入力制御部３を介してＣＰＵ１に入力される。また、上記時間計測部４は、キー入力部２により時刻が初期設定された後、時刻を計測する。上記時間計測部４のもう１つの働きは、ＲＡＭ１０に記憶されている測定時間情報１０３に基づいて、使用者に測定時間が来たことを報知することと、身体測定時の測定時間も計測することである。そうして、測定時間が来たことを使用者が認識して、使用者がキー操作すると、キー情報がＣＰＵ１から測定制御部６を介して身体測定部５に伝えられ、身体測定が実行される。上記身体測定部５は、体温測定部５１と血圧測定部５２と心拍測定部５３と心電測定部５４で構成されている。
【００３８】
また、上記ＲＯＭ７は、機器本体の動作に必要なプログラムおよび固定データを格納している。また、上記ＣＰＵ１からの制御信号が表示制御部９を介して表示部８に伝えられる。上記表示部８の働きとしては、通常状態の時刻表示、身体測定時の測定情報の表示、健康管理支援者側または健康管理支援装置側としての健康サービス会社からの健康診断結果のメッセージ情報の表示等がある。また、上記ＲＡＭ１０は、機器の処理に必要なデータを一時的に記憶するもので、記憶領域の一部は例えば電源バックアップされ、本体電源がオフした後でもこの記憶領域のデータは保持される。上記ＲＡＭ１０に身体測定情報１０１と健康診断情報１０２と測定時間情報１０３とを格納している。
【００３９】
また、上記インターフェース部１１は、携帯電話／ＰＨＳ１３に身体測定データを転送するもので、インターフェース制御部１２を介してＣＰＵ１に接続されている。上記インターフェース制御部１２は、ＣＰＵ１の制御により、身体測定データを携帯電話／ＰＨＳ１３で制御可能なデータに変換して、インターフェース部１１を介して携帯電話／ＰＨＳ１３に転送する。また逆に、携帯電話／ＰＨＳ１３から健康診断結果のメッセージ情報を受け取る場合は、インターフェース部１１を介して受け取ったデータをインターフェース制御部１２において機器で制御可能なデータに変換して伝えられる。
【００４０】
また、携帯電話／ＰＨＳ１３は、身体測定データを健康サービス会社に送信する送信手段および上記身体測定データを分析して得られた健康診断結果のメッセージ情報を受信する受信手段を有している。
【００４１】
図２は図１に示す腕時計型の携帯健康管理機器２０の正面図を示しており、図２に示すように、機器本体の表面に表示部２１を設けており、表示部２１は、例えば１文字が１２×１２ドットで１行が１０文字の３行の表示が可能な液晶表示装置である。図２では、例として血圧測定時の表示内容を示している。
【００４２】
上記腕時計型の携帯健康管理機器のキー入力部２(図１に示す)は、表示部２１の上側と下側に配置されている。上記表示部２１の上側に配置されているキーは身体測定に使用するキーであり、２２は送信キー、２３は再実行キー、２４は中断キー、２５は実行キーである。
【００４３】
上記腕時計型の携帯健康管理機器では、予め設定されている測定時間が来るとアラームが鳴り、使用者が「実行キー」２５を押して、予めプログラムされた身体測定を開始する。上記表示部６により測定の状態が確認可能であり、測定が正常で無い場合は「中断キー」２４を押し、「再実行キー」２３により測定をやり直す。一方、測定が正常に完了した場合は、「送信キー」２２を押し、測定データを携帯電話／ＰＨＳ１３(図１に示す)を経由して、健康サービス会社に送信する。この第１実施形態では、インターフェース部１２(図１に示す)にブルートゥース(Bluetooth；携帯情報機器向けの無線通信技術)を採用している。なお、インターフェース部は、Ｉｒ方式またはケーブル方式でも特に問題はない。
【００４４】
また、上記表示部２１の下側に配置されているキーは各種の設定に使用するキーであり、２６は受信キー、２７は設定キー、２８,２９は矢印キーである。
【００４５】
上記「設定キー」２７により、初期時刻設定、測定時間の設定、測定内容（例えば血圧等）の設定、測定方式（完全自動測定方式、または、測定時間が来たことを使用者に報知した後に使用者が測定を開始する方式）の設定が実行される。上下の「矢印キー」２８,２９は、各種の設定時に時刻／時間を進めたり遅らしたりするため、または、測定の内容／方式を選択するために使用するキーである。また、「受信キー」２６は、健康診断の結果を携帯電話／ＰＨＳ１３を経由して、健康サービス会社から受信するために使用する。
【００４６】
また、図３は上記腕時計型の携帯健康管理機器の表示内容を示しており、図３(a)は心拍と体温を測定した場合の表示内容を示し、図３(b)は歩数や加速度センサーを利用した運動量等の契約者の運動量を測定する運動量測定手段を身体測定部５に有する場合の表示内容を示している。「実行キー」２５を押して、運動量を自動測定した後、運動量から消費カロリーを自動計算し、健康サービス会社に健康診断の材料として送信する。このように、上記運動量測定手段により測定された運動量から消費カロリーを計算して、健康診断(特に肥満対策などの健康管理)に有効に利用することができる。
【００４７】
また、図３(c)は体重、飲食による摂取カロリー、運動による消費カロリー等のダイエットに関する情報を入力するダイエット情報入力手段をキー入力部２が有する場合の表示内容を示している。摂取カロリーの場合は朝食,昼食および夕食毎に摂取カロリーを入力し、健康サービス会社に健康診断の材料として送信する。このように、上記ダイエット情報入力手段により入力されたダイエットに関する情報を健康診断(特に肥満対策などの健康管理)に有効に利用することができる。
【００４８】
また、図３(d)は健康サービス会社から送られてきた健康診断結果のメッセージ情報を受信操作した後の表示例を示している。
【００４９】
このように、上記携帯健康管理機器および携帯電話／ＰＨＳ１３を用いた携帯健康管理通信システムによれば、常時携帯することで身体測定をいつでも実施できると共に、身体測定データに基づく健康診断結果が健康管理支援者側から得られる。また、使い勝手が良く、使用することに負担を感じないので、老若男女誰にでも容易に使用することができる。
【００５０】
上記第１実施形態では、腕時計型の携帯健康管理機器および携帯電話／ＰＨＳで構成された携帯健康管理通信システムについて説明したが、携帯健康管理機器の機能と携帯無線通信機器の機能とを備えた健康管理機能内蔵型携帯通信機器であってもよい。
【００５１】
（第２実施形態）
図４はこの発明の第２実施形態の健康管理サービス付生命保険システムの構成を示す概略図である。
【００５２】
図４に示すように、この健康管理サービス付生命保険システムは、ユーザー３１と、生命保険会社３８と、健康サービス会社４０と、銀行４３で構成され、各々はネットワーク４４を介して接続されている。上記生命保険会社３８は、健康サービス会社４０に保険契約者の健康管理サービスを委託している。
【００５３】
ここで、上記ユーザー３１は、契約者Ａ３２とその契約者Ａ３２が携帯する携帯健康管理通信システム３３、および、契約者Ｂ３５とその契約者Ｂ３５が携帯する携帯健康管理通信システム３６により構成されていると仮定する。また、契約者Ａ３２と契約者Ｂ３５は、図５に示す内容で生命保険会社３８と契約を夫々結んでいる。すなわち、図５に示すように、契約者毎に、保険の種類,証券番号,被保険者氏名,契約日,期間,保健料および保健金額(死亡時,入院および通院)の内容で契約が結ばれている。
【００５４】
なお、上記携帯健康管理通信システム３３,３６は、第１実施形態の携帯健康管理通信システムと同一の構成をしており、身体測定した結果を測定データ３４,３７(身体測定データ)として夫々送信する。また、上記健康サービス会社４０は、健康管理支援者および健康管理を支援するためのコンピュータ(図示せず)を有し、このコンピュータは、携帯健康管理通信システムから送られた身体測定データに対して統計的な分析を行う分析手段と、上記分析手段による分析結果に医師または健康管理の専門家の所感を加えた健康診断結果のメッセージ情報を上記携帯健康管理通信システムに返送する返送手段とを有している。このコンピュータと携帯健康管理通信システムで健康管理システムを構成している。
【００５５】
まず、上記健康管理サービス付生命保険システムにおける情報の流れについて説明する。
【００５６】
上記ユーザー３１を構成する契約者Ｂ３５が携帯健康管理通信システム３６を活用し、身体測定データとしての測定データ３７を健康サービス会社４０に送信する。その測定データ３７を受信した健康サービス会社４０は、測定データ３７を測定データの集計結果４２として集計し、統計的に分析を加えた上、医師または健康管理の専門家の所感を加えた健康診断結果のメッセージ情報としての健康情報４１を契約者Ｂ３５に返送する。なお、健康サービス会社４０は、測定データ集計結果４２を生命保険会社３８にも送信する。
【００５７】
図６(a)は測定データ集計結果４２の契約者Ａ３２の測定データの内容を示し、図６(b)は契約者Ｂ３５の測定データの内容を示している。図６(a),図６(b)に示すように、上記測定データには、測定の年月日,体温,血圧,心電,心拍および運動量の項目があり、体温の項目は値(℃)と測定時間、血圧の項目は値(ｍｍＨg)と測定時間、心電の項目は状態と測定時間、心拍の項目は値(回／分)と測定時間である。
【００５８】
上記生命保険会社３８は、受信した契約者の測定データの集計結果４２を、図７に示す測定回数の評価ファクターおよび図８に示す運動量の評価ファクターにより評価する。すなわち、図７の測定回数の評価ファクターは、１日２回以上を評価Ａ、１日１回を評価Ｂ、週３回以上を評価Ｃ、週１回以上を評価Ｄ、週１回未満を評価Ｅとする。また、図８の運動量の評価ファクターは、２００００Ｋcal以上を評価Ａ、２００００Ｋcal未満を評価Ｂ、１５０００Ｋcal未満を評価Ｃ、１００００Ｋcal未満を評価Ｄ、５０００Ｋcal未満を評価Ｅとする。図９は契約者Ｂ３５の評価結果を示しており、月毎の測定回数(体温,血圧,心電および心拍)と運動量に基づいて総合ポイントを評価している。
【００５９】
さらに、保険料割引率基準(図１０に示す)により、上記総合ポイントに基づいて契約者の保険料に適用する保険料割引率３９を算出する。すなわち、図１０に示すように、総合ポイント２０以上は割引率１５％、総合ポイント１６以上は割引率１０％、総合ポイント１２以上は割引率５％、総合ポイント８以上は割引率０％、総合ポイント８未満は割引率＋５％とする。そうして算出された割引率により更新される月額保険料をユーザー３１の契約者に通知する。
【００６０】
そして、契約者は、更新月額保険料を確認し、契約の継続または解約を判断する。もし、解約する場合は、その旨を生命保険会社４０に連絡する。契約者が解約を申し出なければ、契約は自動継続される。
【００６１】
次に、上記健康管理サービス付生命保険システムにおけるお金の流れについて説明する。
【００６２】
図４に示すように、ユーザー３１の契約者が保険契約を継続する場合は、保険料を口座引き落とし等の手段で銀行４３に支払う。そして、銀行４３は、複数の契約者の保険料を取りまとめて生命保険会社３８に収める。
【００６３】
図１１〜図１３は上記健康管理サービス付生命保険システムの処理を説明するフローチャートである。
【００６４】
最初に健康管理サービスの処理について説明する。
【００６５】
まず、ステップＳＹ１で、ユーザーが携帯身体測定機器を装着する。その後の測定開始までの手続きに関しては既に第１実施形態で説明しているので省略する。そして、ステップＳＹ２で測定を開始し、ステップＳＹ３で測定が終了する。
【００６６】
次に、ステップＳＹ４で測定内容を確認し、ステップＳＹ５で測定内容に基づいて測定を終了するか否かを判断する。このステップＳＹ２〜ステップＳＹ５は、測定内容が正常になるまで継続される。
【００６７】
そして、ステップＳＹ４で測定を終了したと判断した場合は、ステップＳＹ６で測定データを保存し、ステップＳＹ７で送信ボタンを押し、ステップＳＹ８で測定データを健康サービス会社４０に送信する。
【００６８】
次に、健康サービス会社４０は、ステップＳＹ９で測定データを受信し、図１２に示すステップＳＹ１０でユーザーＩＤを確認し、ステップＳＹ１１に進み、測定データを一旦保存する。
【００６９】
次に、ステップＳＹ１２で測定データを分析し、ステップＳＹ１３で分析結果の情報を作成する。次に、ステップＳＹ１４で、ステップＳＹ１３で作成した情報が、体調の異常等で契約者に伝達事項が有るか否かを判断する。そして、伝達事項がなければ、ステップＳＹ１６で、「測定データを受信して保存した。」旨、契約者に送信する。一方、伝達事項が有る場合は、ステップＳＹ１５で契約者に情報を通知すると共に、ステップＳＹ１６の「測定データを受信して保存した。」旨も合わせて通知する。
【００７０】
次に、契約者は、図１３に示すステップＳＹ１７で測定データの保存完了の通知を受信し、この処理は終了する。
【００７１】
引き続き、図１１〜図１３にしたがって保険の契約継続と保険料の支払いに関する処理について説明する。
【００７２】
まず、生命保険会社３８は、図１１に示すステップＳＬ１で、健康サービス会社４０に契約者の測定データ集計結果４２の収得を指示する。
【００７３】
次に、健康サービス会社４０は、ステップＳＬ２で生命保険会社から測定データ集計結果４２の収得指示を受け取り、ステップＳＬ３で測定データ集計結果４２を生命保険会社３８に送信する。
【００７４】
次に、生命保険会社３８は、ステップＳＬ４で測定データ集計結果４２を健康サービス会社４０から受信する。次に、ステップＳＬ５に進み、測定データ集計結果４２を評価し、ステップＳＬ６で評価による保険料の割引率を考慮して、保険料を算出する。そして、図１３に示すステップＳＬ７で更新する保険料を契約者に通知すると共に、ステップＳＬ８で保険料を請求書で請求する。
【００７５】
契約者は、ステップＳＬ９で保険料の通知を受け取り、契約を継続する場合はステップＳＬ１０で支払い方法を生命保険会社３８に指示する。そして、ステップＳＬ１１で銀行４３等を経由して生命保険会社３８にクレジットを支払い、この処理は終了する。
【００７６】
図１４,図１５は健康サービス会社４０から契約者に通知する健康情報の表示内容を示している。すなわち、図１４(a)は血圧測定データに対する分析結果の表示例を示し、図１４(b)は血圧測定データに対する指導内容の表示例を示している。また、図１４(c)は朝食の摂取カロリーに対する分析結果の表示例を示し、図１４(d)は朝食の摂取カロリーに対する指導内容の表示例を示している。また、図１４(e)は昼食の摂取カロリーに対する分析結果の表示例を示し、図１４(f)は昼食の摂取カロリーに対する指導内容の表示例を示している。さらに、図１５(a)は夕食の摂取カロリーに対する分析結果の表示例を示し、図１５(b)は夕食の摂取カロリーに対する指導内容の表示例を示している。
【００７７】
このように、上記健康管理サービス付生命保険システムによれば、健康管理システムによる健康管理サービスを生命保険会社が生命保険の付加価値として保険契約者に提供することによって、健康管理サービスに関する機器の購入費および使用料を保険の掛け金に含めることで、健康管理システムの使用者の金銭的な負担を少なくすることができる。また、生命保険会社にとっては保険契約者の健康管理に役立てることができ、結果として生命保険会社が支払う保険金の額を抑えることができる。
【００７８】
上記第１,第２実施形態では、携帯健康管理通信システムの携帯通信機器として携帯電話／ＰＨＳ１３を用いたが、携帯通信機器はこれに限らず、携帯健康管理機器が接続される他の携帯無線通信機器でもよい。
【００７９】
また、上記第１,第２実施形態では、データ入力手段として体温,血圧,心電および心拍を測定する身体測定部５を用いたが、データ入力手段は歩数や加速度などの他の項目を測定するものでもよい。
【００８０】
【発明の効果】
以上より明らかなように、この発明の携帯健康管理機器および携帯通信機器および携帯健康管理通信システムおよび健康管理機能内蔵型携帯通信機器および健康管理システムによれば、常時携帯可能な携帯型機器とした上で、身体測定をいつでも実施できるため、使い勝手が良く、使用することに負担を感じない。これにより老若男女誰にでも容易に使用することができる。
【００８１】
また、この発明の健康管理サービス付生命保険システムおよびその保険料割引方法によれば、生命保険会社のサービスとして健康管理サービスを提供することにより、機器の購入費および使用料を保険の掛け金に含めることにより、使用者の金銭的な負担を少なくすることが可能であり、かつ保険料の割引等の金銭的なメリットも享受することができる。一方、生命保険会社にとっては、この発明を契約者に付加価値サービスとして提供できる上、保険契約者の健康管理に役立てることができ、結果として保険金の支払い額を抑えることができる。
【図面の簡単な説明】
【図１】  図１はこの発明の第１実施形態の腕時計型の携帯健康管理機器および携帯通信機器を用いた携帯健康管理通信システムの構成を示すブロック図
【図２】  図２は上記腕時計型の携帯健康管理機器の外観を示す正面図である。
【図３】  図３(a)は心拍と体温の測定時の表示例を示す図であり、図３(b)は運動内容の測定時の表示例を示す図であり、図３(c)は摂取カロリー入力時の表示例を示す図であり、図３(d)は健康診断結果のメッセージ情報の表示例を示す図である。
【図４】  図４はこの発明の第２実施形態の健康サービス付生命保険システムの構成を示す概略図である。
【図５】  図５は保険契約の内容を示す図である。
【図６】  図６(a)は契約者Ａの測定データの集計結果を示す図であり、図６(b)は契約者Ｂの測定データの集計結果を示す図である。
【図７】  図７は測定回数による評価基準を示す図である。
【図８】  図８は運動量による評価基準を示す図である。
【図９】  図９は契約者Ｂの測定データの集計結果の評価結果を示す図である。
【図１０】  図１０は保険料の割引基準を示す図である。
【図１１】  図１１は健康サービス付生命保険の実行の処理を説明するフローチャートである。
【図１２】  図１２は図１１に続くフローチャートである。
【図１３】  図１３は図１２に続くフローチャートである。
【図１４】  図１４(a),(b)は血圧測定データに対する分析結果と指導内容の表示例を示す図であり、図１４(c),(d)は朝食の摂取カロリーに対する分析結果と指導内容の表示例を示す図であり、図１４(e),(f)は昼食の摂取カロリーに対する分析結果と指導内容の表示例を示す図である。
【図１５】  図１５(a),(b)は夕食の摂取カロリーに対する分析結果と指導内容の表示例を示す図である。
【符号の説明】
１…ＣＰＵ、
２…キー入力部、
３…入力制御部、
４…時間計測部、
５…身体測定部、
６…測定制御部、
７…ＲＯＭ、
８…表示部、
９…表示制御部、
１０…ＲＡＭ、
１１…インターフェース部、
１２…Ｉ／Ｆ制御部、
２０…携帯健康管理機器、
２１…表示部、
２２…送信キー、
２３…再実行キー、
２４…中断キー、
２５…実行キー、
２６…受信キー、
２７…設定キー、
２８,２９…矢印キー、
５１…体温測定部、
５２…血圧測定部、
５３…心拍測定部、
５４…心電測定部、